(57)【特許請求の範囲】
【請求項１】
浴槽が設置されるべき浴槽支持部と、
前記浴槽支持部に隣接する洗い場パンと、
前記浴槽支持部上に設けられる仮置台と、を備え、
前記仮置台は、前記浴槽の脚部を仮置きするための水平面を含み、
前記水平面は、前記洗い場パンから前記浴槽支持部に向かう方向において前記浴槽支持部の中央よりも前記洗い場パンから遠い側に位置する部分を有し、
前記浴槽支持部に設置された状態の前記浴槽の前記脚部は、前記方向において前記仮置台よりも前記洗い場パンから遠い側に位置することを特徴とする浴室。
【請求項２】
浴槽が設置されるべき浴槽支持部と、
前記浴槽支持部に隣接する洗い場パンと、
前記浴槽支持部上に設けられる仮置台と、を備え、
前記浴槽は、脚部と、当該脚部よりも前記洗い場パン側を支持する別の脚部とを含み、
前記仮置台は、前記浴槽の前記脚部を仮置きするための水平面を含み、
前記浴槽支持部に設置された状態の前記浴槽の前記脚部は、前記洗い場パンから前記浴槽支持部に向かう方向において前記仮置台よりも前記洗い場パンから遠い側に位置することを特徴とする浴室。
【請求項３】
前記仮置台は、前記水平面に隣接し、前記脚部を滑らせて浴槽を設置するための傾斜面を含むことを特徴とする請求項１または２に記載の浴室。
【請求項４】
前記洗い場パンは、前記浴槽支持部側の端部に、上向きに突出する堤防部を有し、
前記浴槽の前記脚部が前記水平面の前記洗い場パンから遠い側の端部に位置するとき、前記浴槽は、前記堤防部と非接触となる位置に位置することを特徴とする請求項１から３のいずれかに記載の浴室。
【請求項５】
仮置台が設けられた浴槽支持部において、
前記仮置台の水平面であって、前記浴槽支持部に隣接する洗い場パンから前記浴槽支持部に向かう方向において前記浴槽支持部の中央よりも前記洗い場パンから遠い側に位置する部分を有する水平面に、浴槽の脚部を仮置きするステップと、
前記洗い場パンから前記浴槽支持部に向かう方向において前記仮置台よりも前記洗い場パンから遠い浴槽設置位置まで前記浴槽の脚部を移動させるステップと、
を備えることを特徴とする設置方法。
【請求項６】
仮置台が設けられた浴槽支持部において、
前記浴槽支持部に隣接する洗い場パンに嵩上台を設置するステップと、
浴槽の脚部を前記仮置台の水平面に仮置きするステップと、
前記水平面を越えた浴槽設置位置まで前記浴槽の脚部を移動させるステップと、を含み、
前記仮置きするステップでは、前記浴槽の脚部を前記仮置台の水平面に乗せ、前記浴槽の別の脚部を前記嵩上台に乗せることを特徴とする設置方法。
【請求項７】
前記洗い場パンは、前記浴槽支持部側の端部に、上向きに突出する堤防部を有し、
前記嵩上台に前記別の脚部を乗せたときの前記浴槽の底面は、前記堤防部より高く位置することを特徴とする請求項６に記載の設置方法。
【請求項８】
前記浴槽支持部は、浴槽パンであり、
前記仮置台および前記嵩上台は、前記浴槽が仮置きされたときに、前記浴槽の上端が前記浴槽パンよりも高い位置に位置するよう形成されることを特徴とする請求項６または７に記載の設置方法。
【発明の詳細な説明】
【技術分野】
【０００１】
本発明は、浴室および浴槽の設置方法に関する。
【背景技術】
【０００２】
洗い場パンと、洗い場パンに接続された浴槽パンと、浴槽パンに設置される浴槽と、を備える浴室が知られている。このような浴室では、浴槽をできるだけ大きくするため、浴槽の長手方向の長さを浴室の寸法と略等しくすることがある（特許文献１）。この場合、浴槽の短手側からは浴槽を設置する作業ができないため、作業者は浴槽の長手側から設置作業を行うこととなる。
【先行技術文献】
【特許文献】
【０００３】
【特許文献１】特開２００６−６８４３４号公報
【発明の概要】
【発明が解決しようとする課題】
【０００４】
特許文献１に記載される浴室では、浴槽パンに傾斜ガイドが設けられる。浴槽の脚部がこの傾斜ガイドを滑るため、比較的軽い力で浴槽を設置することができる。しかしながら、浴槽が短手方向にも長い場合や大型の浴槽で重量が大きいものは、二人の作業者が向かい合って浴槽の長手側を持ち、脚部が傾斜ガイドに乗る位置まで運ばざるを得ない。この場合、浴槽パン側の作業者が浴槽を跨いで洗い場側に抜けるとき、浴槽が滑って移動しないよう洗い場パン側の作業者が支えなければならない。また、浴槽を単独で平置きすることができず、一度浴槽を持ち上げた作業者は傾斜ガイドまで浴槽の脚部が移動するまで持ち上げ続けることとなる。これは、作業者の負担となる。
【０００５】
本発明はこうした状況に鑑みてなされたものであり、その目的は、浴槽パンに浴槽を設置するときに作業者にかかる負担を軽減しうる技術を提供することにある。
【課題を解決するための手段】
【０００６】
上記課題を解決するために、本発明のある態様の浴室は、浴槽が設置されるべき浴槽支持部と、浴槽支持部上に設けられる仮置台と、を備える。仮置台は、浴槽の脚部を仮置きするための水平面を含む。
【０００７】
この態様によると、浴槽の脚部を仮置台の水平面に仮置きおよび横滑りできるため、浴槽パン側の作業者は浴槽を跨いで洗い場パン側に移動することができる。
【０００８】
仮置台は、水平面に隣接し、脚部を滑らせて浴槽を設置するための傾斜面を含んでもよい。この場合、傾斜面を滑らせて浴槽を移動させることができる。
【０００９】
浴槽支持部に隣接する洗い場パンを備えてもよい。洗い場パンは、浴槽支持部側の端部に、上向きに突出する堤防部を有してもよい。浴槽の脚部が水平面の洗い場パンから遠い側の端部に位置するとき、浴槽の底部が堤防部よりも浴槽支持部側に位置してもよい。この場合、浴槽の脚部が水平面を越えて浴槽が移動するときに、浴槽の底部が洗い場パンの堤防部と接触するのを抑止できる。
【００１０】
浴槽支持部に隣接する洗い場パンを備えてもよい。洗い場パンは、浴槽支持部側の端部に、上向きに突出する堤防部を有してもよい。浴槽の脚部が水平面の洗い場パンから遠い側の端部に位置するとき、浴槽は、堤防部と非接触となる位置に位置してもよい。この場合、浴槽の脚部が水平面を越えて浴槽が移動するときに、浴槽が洗い場パンの堤防部と接触するのを抑止できる。
【００１１】
本発明のさらに別の態様は、設置方法である。この方法は、仮置台が設けられた浴槽支持部において、浴槽の脚部を仮置台の水平面に仮置きするステップと、水平面を越えた浴槽設置位置まで浴槽の脚部を移動させるステップと、を備える。
【００１２】
この態様によると、浴槽の脚部を仮置台の水平面に仮置きおよび横滑りできるため、浴槽パン側の作業者は浴槽を跨いで洗い場パン側に移動することができる。
【００１３】
仮置きするステップの前に、浴槽支持部に隣接する洗い場パンに嵩上台を設置するステップを含んでもよい。仮置きするステップでは、浴槽の脚部を仮置台の水平面に乗せ、浴槽の別の脚部を嵩上台に乗せる。この場合、浴槽は仮置きした状態で安定する。
【００１４】
洗い場パンは、浴槽支持部側の端部に、上向きに突出する堤防部を有してもよい。嵩上台に別の脚部を乗せたときの浴槽の底面は、堤防部より高く位置してもよい。この場合、仮置きしたときに浴槽の底部と堤防部とが接触するのを抑止できる。
【００１５】
浴槽支持部は、浴槽パンであり、仮置台および嵩上台は、浴槽が仮置きされたときに、浴槽の上端が浴槽パンよりも高い位置に位置するよう形成されてもよい。この場合、仮置きしたときに浴槽の上端と浴槽パンとが接触するのを抑止できる。
【００１６】
なお、以上の構成要素の任意の組み合わせや、本発明の構成要素や表現を方法、装置、システムなどの間で相互に置換したものもまた、本発明の態様として有効である。
【発明の効果】
【００１７】
本発明によれば、浴槽パンに浴槽を設置するときに作業者にかかる負担を軽減しうる技術を提供できる。
【図面の簡単な説明】
【００１８】
【図１】実施の形態に係る浴室を示す縦断面図である。
【図２】浴槽が浴室内に仮置された状態を示す縦断面図である。
【図３】浴槽が浴室内に仮置された状態を示す斜視図である。
【図４】実施の形態に係る設置方法を示す模式的な工程図である。
【図５】第１脚部が水平面の端部に位置した状態を示す縦断面図である。
【発明を実施するための形態】
【００１９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００２０】
図１〜３は、実施の形態に係る浴室１００を示す。図１は、浴槽１０が浴槽パン３０に設置された状態を示す縦断面図である。図２、図３はそれぞれ、浴槽１０を浴槽パン３０に設置する際に、浴槽１０を浴室１００内に仮置きした状態を示す縦断面図、斜視図である。浴室１００は、浴槽１０と、洗い場パン２０と、浴槽パン３０と、エプロン４０と、２つの仮置台５０と、を備える。
【００２１】
浴槽１０は、上面が開口した四角容器状の浴槽本体１１と、浴槽本体１１の上端周縁に形成されたフランジ部１４と、浴槽本体１１を支持する脚部１５と、を含む。これらは、樹脂材料により一体に形成される。浴槽本体１１は、底部１２と、底部１２の周縁部から上方に延在した側壁部１３ａ、１３ｂ、１３ｃ、１３ｄと、を有する。フランジ部１４は、その洗い場パン２０側の外縁から下向きに突出する下垂部１４ａを有する。脚部１５は、洗い場パン２０から遠い側を支持する２つの第１脚部１５ａと、洗い場パン２０に近い側を支持する４つの複数の第２脚部１５ｂと、を有する。
【００２２】
洗い場パン２０は、洗い場２１と、堤防部２２と、を有する。洗い場パン２０は、樹脂材料により形成される。これらは、樹脂材料により一体に形成される。堤防部２２は、洗い場２１の浴槽パン３０側の端部から上向きに突出する。堤防部２２は、洗い場パン２０から浴槽パン３０に水が流れるのを抑止する。これにより、浴槽パン３０をより衛生に保つことができる。
【００２３】
浴槽パン３０には浴槽１０が設置される。浴槽パン３０は、底部３１と、側壁部３２ａ、３２ｂ、３２ｃ、３２ｄと、を有する。これらは、樹脂材料により一体に形成される。底部３１は、浴槽１０を支持する。側壁部３２ａ、３２ｂ、３２ｃの上端の高さ位置は、浴槽パン３０上に設置された浴槽１０の上端の高さ位置と略等しい。そのため、浴槽パン３０の側壁部３２ａ、３２ｂ、３２ｃは、浴槽本体１１の側壁部１３ａ、１３ｂ、１３ｃをそれぞれ覆う。側壁部３２ｄの上端の高さ位置は、浴槽パン３０の上に載置される浴槽１０の高さよりも低い。そのため、浴槽パン３０の側壁部３２ｄは、浴槽本体１１の側壁部１３ｄの下方を覆う。
【００２４】
浴槽パン３０の側壁部３２ｄは、洗い場パン２０側に張り出した張出部３２ｅを有する。洗い場パン２０の堤防部２２は、浴槽パン３０側に張り出した張出部２２ａを有する。側壁部３２ｄの張出部３２ｅと堤防部２２の張出部２２ａとが接続されることにより、浴槽パン３０と洗い場パン２０とが接続される。ここでは、側壁部３２ｄの張出部３２ｅと堤防部２２の張出部２２ａとはボルト７０により接続される。
【００２５】
エプロン４０は、樹脂材料によりにより形成される。エプロン４０は、浴槽パン３０の側壁部３２ｄによって覆われない浴槽１０の側壁部１３ｄの部分を覆うように、下垂部１４ａの下方に設けられる。エプロン４０は、浴槽パン３０側に張り出した張出部４０ａを有する。浴槽１０が浴槽パン３０に設置された状態では、エプロン４０の張出部４０ａに設けられた孔にボルト７０が嵌まる。
【００２６】
浴槽パン３０の底部３１には、浴槽１０を浴槽パン３０に設置する際に浴槽１０を仮置きするための２つの仮置台５０が配置される。仮置台５０は、浴槽パン３０とは別体として形成され、浴槽パン３０の底部３１に固定される。なお、仮置台５０は、浴槽パン３０と一体に形成されてもよい。仮置台５０は、洗い場パン２０から浴槽パン３０に向かう方向（以下、「設置方向」とも呼ぶ）に延在する水平面５１と、水平面５１に隣接し、設置方向に向けて下がり傾斜となる傾斜面５２と、を含む。
【００２７】
本実施の形態に係る設置方法によって上述の浴槽１０を浴槽パン３０に設置する方法を説明する。図４は、実施の形態に係る設置方法を示す模式的な設置工程図である。設置工程は、嵩上台配置工程Ｓ１０と、仮置工程Ｓ１２と、エプロン取付工程Ｓ１４と、本設置工程Ｓ１６と、を含む。嵩上台配置工程Ｓ１０では、嵩上台６０（図２参照）を洗い場パン２０の洗い場２１上の所定の位置に配置する。
【００２８】
仮置工程Ｓ１２では、ひとりの作業者が浴槽１０の側壁部１３ｂ側（すなわち浴槽パン３０側）のフランジ部１４を持ち、もうひとりの作業者が側壁部１３ｄ側（すなわち洗い場パン２０側）のフランジ部１４を持って浴槽１０を浴室１００内に運び、浴槽１０を仮置きする。具体的には、第１脚部１５ａが仮置台５０の水平面５１に、第２脚部１５ｂが嵩上台６０の水平面に乗るよう浴槽１０を置く。この状態では浴槽１０は安定するため、浴槽１０が動かないように洗い場パン２０の作業者が抑えていなくても、浴槽パン３０の作業者は、浴槽１０を跨いで洗い場パン２０側に移動できる。作業者は特に、浴槽本体１１の底部１２を踏んで洗い場パン２０側に移動できる。
【００２９】
ここで、嵩上台６０は、浴槽１０が仮置きされたときに浴槽１０の浴槽本体１１の底部１２が洗い場パン２０の堤防部２２に接触しない高さとなるよう形成される。具体的には、嵩上台６０に第２脚部１５ｂを乗せたときの浴槽１０の底部１２の下面は、堤防部２２の上端よりも高く位置する。本実施の形態では特に、堤防部２２の上端からボルト７０が突出しているため、嵩上台６０に第２脚部１５ｂを乗せたときの浴槽１０の底部１２の下面が、ボルト７０の上端よりも高く位置する（図２参照）。
【００３０】
また、仮置台５０と嵩上台６０は、浴槽１０を仮置きしたときに、浴槽１０のフランジ部１４が浴槽パン３０よりも高い位置に位置する、すなわちフランジ部１４が浴槽パン３０の側壁部３２ａ、３２ｃと接触しないような高さに形成される（図２参照）。
【００３１】
エプロン取付工程Ｓ１４では、下垂部１４ａの下方にエプロン４０を取り付ける。
本設置工程Ｓ１６では、浴槽１０を浴槽パン３０に設置する。本設置工程Ｓ１６は、水平面移動工程Ｓ１８と傾斜面移動工程Ｓ２０とを含む。水平面移動工程Ｓ１８では、作業者は、洗い場パン２０側の側壁部１３ｄを設置方向に押す。第１脚部１５ａが水平面５１を滑って浴槽１０は浴槽パン３０側に移動する。なお、第２脚部１５ｂが堤防部２２を越える際に第２脚部１５ｂと堤防部２２、側壁部３２ｄおよびボルト７０とが接触しないよう、作業者は浴槽１０の側壁部１３ｄ側を持ち上げながら浴槽１０を押してもよい。
【００３２】
図５は、第１脚部１５ａが水平面５１の浴槽パン３０側（すなわち洗い場パン２０から遠い側）の端部に位置した状態を示す。第１脚部１５ａが水平面５１の浴槽パン３０側の端部まで移動すると、浴槽１０はその浴槽本体１１が堤防部２２、側壁部３２ｄおよびボルト７０と非接触となる位置に位置する。具体的には、第１脚部１５ａが水平面５１の浴槽パン３０側の端部まで移動すると、浴槽本体１１の底部１２全体が堤防部２２、側壁部３２ｄおよびボルト７０を越え、浴槽本体１１の底部１２全体が浴槽パン３０の底部３１の鉛直上方に位置する。
【００３３】
傾斜面移動工程Ｓ２０では、作業者は浴槽１０を設置方向にさらに押す。第１脚部１５ａは水平面５１を越えて傾斜面５２に到達する。すると、作業者が押さなくともあるいは作業者が比較的軽い力で押すだけで、第１脚部１５ａが傾斜面５２を滑り、浴槽１０は設置方向に移動する。第１脚部１５ａが傾斜面５２を滑りきって底部３１上の浴槽設置位置に到達すると、図１のごとく浴槽１０は浴槽パン３０に嵌まり、浴槽１０の設置が完了する。
【００３４】
実施の形態に係る浴室１００によると、仮置台５０は水平面５１を有し、浴槽１０の第１脚部１５ａをこの水平面５１に乗せて浴槽１０を仮置きできる。そのため、浴槽パン３０側の作業者は、浴槽１０を跨いで洗い場パン２０側に移動できる。このとき、洗い場パン２０側の作業者が、浴槽１０が動かないように抑えておく必要はないため、作業者の負担は軽減される。また、水平面５１上を第１脚部１５ａを滑らせて浴槽１０を水平面５１の洗い場パン２０から遠い側の端部に移動させることができる。そのため、作業者は、第１脚部１５ａがその端部に移動するまで浴槽１０を持ち上げ続ける必要はなく、作業者の負担は軽減される。
【００３５】
実施の形態に係る浴室１００によると、仮置台５０は水平面５１に加えて傾斜面を有する。第１脚部１５ａが水平面５１を越えて傾斜面５２に到達すると、作業者が押さなくともあるいは作業者が比較的軽い力で押すだけで、第１脚部１５ａが傾斜面５２を滑り、浴槽１０は設置方向に移動する。そのため、作業者の負担は軽減される。
【００３６】
また、実施の形態に係る浴室１００によると、第１脚部１５ａが水平面５１の浴槽パン３０側の端部まで移動すると、浴槽１０はその浴槽本体１１が堤防部２２、側壁部３２ｄおよびボルト７０と非接触となる位置に位置する。具体的には、第１脚部１５ａが水平面５１の浴槽パン３０側の端部まで移動すると、浴槽本体１１の底部１２全体が堤防部２２、側壁部３２ｄおよびボルト７０を越え、浴槽本体１１の底部１２全体が浴槽パン３０の底部３１の鉛直上方に位置する。そのため、第１脚部１５ａが傾斜面５２を滑って浴槽１０が移動するときに、浴槽１０の底部１２が浴槽パン３０の堤防部２２、側壁部３２ｄおよびボルト７０と接触して底部１２が傷付くのを抑止できる。
【００３７】
また、実施の形態に係る浴室１００によると、浴槽１０を仮置きしたとき、洗い場パン２０に配置された嵩上台６０に第２脚部１５ｂが乗る。そのため、嵩上台６０の高さを調整することにより、仮置きした状態で浴槽１０をより安定させることが可能となる。
【００３８】
また、実施の形態に係る浴室１００によると、嵩上台６０と第２脚部１５ｂとを合わせた高さは、洗い場パン２０の堤防部２２と堤防部２２から上側に突出するボルト７０の部分とを合わせた高さよりも高くなる。そのため、浴槽１０を仮置きしたときに浴槽１０の底部１２が堤防部２２やボルト７０と接触して浴槽１０が傷付くのを抑止できる。
【００３９】
また、実施の形態に係る浴室１００によると、仮置台５０と嵩上台６０とは、浴槽１０が仮置きされたときに、浴槽１０のフランジ部１４が浴槽パン３０よりも高い位置に位置するよう形成される。これにより、浴槽１０を仮置きしたときに浴槽１０のフランジ部１４と浴槽パン３０の側壁部３２ａ、３２ｃとが接触してフランジ部１４または浴槽パン３０が傷付くのを抑止できる。
【００４０】
以上、実施の形態に係る浴室について説明した。この実施の形態は例示であり、その各構成要素の組み合わせにいろいろな変形例が可能なこと、またそうした変形例も本発明の範囲にあることは当業者に理解されるところである。
【００４１】
（変形例１）
実施の形態では、２つの仮置台５０を備える場合について説明したが、これに限られない。１つの仮置台５０または３つ以上の仮置台５０を備えていてもよい。
【００４２】
（変形例２）
実施の形態では特に言及しなかったが、仮置台５０は、その上を滑りながら移動する第１脚部１５ａの移動方向を規制するよう形成されてもよい。例えば、仮置台５０の水平面５１および傾斜面５２は、レール状に形成されてもよい。
【００４３】
（変形例３）
実施の形態では、浴室１００が浴槽パン３０を備える場合について説明したが、これに限られない。浴室１００は浴槽１０を支持する構造を備えていればよい。例えば浴室１００は、浴槽パン３０の代わりに、浴槽１０を支持する格子状のフレームを備えてもよい。この場合、フレーム上に仮置台５０が配置される。
【００４４】
（変形例４）
実施の形態では、仮置台５０が水平面５１と傾斜面５２とを有する場合について説明したが、これに限られない。仮置台は、傾斜面を有しないで、水平面５１だけを有していてもよい。この場合、実施の形態の場合と同様に、第１脚部１５ａをこの水平面５１に乗せて浴槽１０を仮置きできる。また、第１脚部１５ａが水平面５１を滑って浴槽１０が浴槽パン３０側に移動できる。浴槽１０を設置方向に押し続けると、第１脚部１５ａは、水平面５１を越えて底部３１上の浴槽設置位置に着地する。つまり、本変形例の場合は、傾斜面移動工程Ｓ２０の代わりに、浴槽１０を水平面５１から落とす工程を実施する。
【００４５】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。
【符号の説明】
【００４６】
１０  浴槽、  １５ａ  第１脚部、  ２０  洗い場パン、  ３０  浴槽パン、  ３０ａ  底部、  ５０  仮置台、  ５１  水平面、  ５２  傾斜面、  ６０  嵩上台、  １００  浴室。
【図１】
0006306464.tif 000002
【図２】
0006306464.tif 000003
【図３】
0006306464.tif 000004
【図４】
0006306464.tif 000005
【図５】
0006306464.tif 000006